【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
現像剤を収納する枠体と、
前記枠体に取り付けられ、その周面に現像剤を担持して回転する回転体と、
前記枠体と前記回転体の間からの現像剤の漏れを規制するために前記枠体に取り付けられ、前記回転体の長手方向の端部において前記枠体と前記回転体の周面との間に位置する端部シール部材と、
前記枠体と前記回転体の間からの現像剤の漏れを規制するために前記枠体に取り付けられ、前記回転体の長手方向に亘って前記枠体と前記回転体の周面との間に位置し、前記回転体の長手方向の端部において前記端部シール部材と前記回転体の周面との間に進入しているシート部材と、
を有する現像剤容器において、
前記枠体は前記回転体の長手方向の端部において前記枠体を貫通している貫通孔を有し、前記貫通孔の一端開口は前記シート部材を介して前記回転体に対向しており、前記貫通孔の他端開口は前記回転体に対向しておらず、
前記枠体と前記端部シール部材と前記シート部材との間からの現像剤の漏れを規制するために、前記他端開口から前記一端開口に向かって前記貫通孔に注入されることにより、前記枠体と前記端部シール部材と前記シート部材との間に充填された充填剤を有することを特徴とする現像剤容器。
【請求項２】
前記一端開口は、前記枠体と前記端部シール部材と前記シート部材とに囲まれた空間に連通しており、前記空間に前記充填剤が充填されていることを特徴とする請求項１に記載の現像剤容器。
【請求項３】
前記他端開口は、前記回転体から見て前記枠体の裏側に位置することを特徴とする請求項１又は２に記載の現像剤容器。
【請求項４】
前記貫通孔は、前記回転体の長手方向に対して交差する交差方向に貫通していることを特徴とする請求項１乃至３のいずれか１項に記載の現像剤容器。
【請求項５】
前記枠体は前記シート部材を取り付けるための取り付け部を有しており、前記一端開口は前記回転体から見て前記端部シール部材と前記取り付け部との隙間と重なっていること
を特徴とする請求項１乃至４のいずれか１項に記載の現像剤容器。
【請求項６】
前記取り付け部は、前記一端開口に対向する位置に第一凹部を有しており、前記第一凹部に前記充填剤が充填されていることを特徴とする請求項１乃至５のいずれか１項に記載の現像剤容器。
【請求項７】
前記端部シール部材は、前記一端開口に対向する位置に第二凹部を有しており、前記第二凹部に前記充填剤が充填されることを特徴とする請求項１乃至６のいずれか１項に記載の現像剤容器。
【請求項８】
前記枠体は、前記一端開口からの前記充填剤の漏れを規制するリブを有することを特徴とする請求項１乃至７のいずれか１項に記載の現像剤容器。
【請求項９】
前記充填剤は接着性を有しており、前記充填剤は前記端部シール部材と前記枠体と前記シート部材とに接着していることを特徴とする請求項１乃至８のいずれか１項に記載の現像剤容器。
【請求項１０】
前記シート部材は、前記回転体の回転方向に沿って設けられ、前記回転体に担持された現像剤を前記枠体内へガイドすることを特徴とする請求項１乃至９のいずれか１項に記載の現像剤容器。
【請求項１１】
前記シート部材は、前記回転体の長手方向に亘って前記回転体と接触していることを特徴とする請求項１乃至１０のいずれか１項に記載の現像剤容器。
【請求項１２】
前記端部シール部材は、前記回転体の長手方向の端部において前記回転体の周面と接触していること特徴とする請求項１乃至１１のいずれか１項に記載の現像剤容器。
【請求項１３】
前記回転体は、潜像が形成されるための電子写真感光体ドラムであることを特徴とする請求項１乃至１２のいずれか１項に記載の現像剤容器。
【請求項１４】
前記回転体は、潜像を現像するための現像ローラであることを特徴とする請求項１乃至１２のいずれか１項に記載の現像剤容器。
【請求項１５】
請求項１乃至１４のいずれか１項に記載の現像剤容器を有し、画像形成装置本体に着脱可能なカートリッジ。
【請求項１６】
画像形成装置に用いられる現像剤容器の製造方法において、
ア）現像剤を担持して回転する回転体が取り付けられるための枠体であって、その一端開口が前記枠体に前記回転体が取り付けられた状態において前記回転体に対向しており、その他端開口が前記枠体に前記回転体が取り付けられた状態において前記回転体に対向しない貫通孔を有し、現像剤を収納するための枠体を準備する枠体準備工程と、
イ）端部シール部材を前記枠体に取り付ける端部シール部材取り付け工程と、
ウ）シート部材に前記一端開口と前記端部シール部材の一部を覆わせて、前記シート部材を前記枠体に取り付けるシート部材取り付け工程と、
エ）前記端部シール部材取り付け工程及び前記シート部材取り付け工程の後に、前記他端開口から前記一端開口に向かって前記貫通孔に充填剤を注入して、前記充填剤を前記端部シール部材と前記シート部材と前記枠体との間に充填する充填工程と、
を有することを特徴とする現像剤容器の製造方法。
【請求項１７】
前記充填工程において、前記シート部材を前記一端開口の設けられた方へ押圧した状態
で前記充填剤を前記貫通孔に注入することを特徴とする請求項１６に記載の現像剤容器の製造方法。
【請求項１８】
前記充填剤は接着性を有しており、前記充填剤は前記端部シール部材と前記枠体と前記シート部材とに接着していることを特徴とする請求項１６又は１７に記載の現像剤容器の製造方法。
【請求項１９】
前記シート部材は、前記回転体の回転方向に沿って設けられ、前記回転体に担持された現像剤を前記枠体内へガイドすることを特徴とする請求項１６乃至１８のいずれか１項に記載の現像剤容器の製造方法。
【請求項２０】
前記回転体は、潜像が形成されるための電子写真感光体ドラムであることを特徴とする請求項１６乃至１９のいずれか１項に記載の現像剤容器の製造方法。
【請求項２１】
前記回転体は、潜像を現像するための現像ローラであることを特徴とする請求項１６乃至２０のいずれか１項に記載の現像剤容器の製造方法。
【手続補正２】
【補正対象書類名】明細書
【補正対象項目名】発明の名称
【補正方法】変更
【補正の内容】
【発明の名称】現像剤容器、カートリッジ及び現像剤容器の製造方法
【手続補正３】
【補正対象書類名】明細書
【補正対象項目名】０００１
【補正方法】変更
【補正の内容】
【０００１】
本発明は、現像剤容器、カートリッジ及び現像剤容器の製造方法に関するものである。
【手続補正４】
【補正対象書類名】明細書
【補正対象項目名】００１２
【補正方法】変更
【補正の内容】
【００１２】
上記目的を達成するために本発明にあっては、
現像剤を収納する枠体と、
前記枠体に取り付けられ、その周面に現像剤を担持して回転する回転体と、
前記枠体と前記回転体の間からの現像剤の漏れを規制するために前記枠体に取り付けられ、前記回転体の長手方向の端部において前記枠体と前記回転体の周面との間に位置する端部シール部材と、
前記枠体と前記回転体の間からの現像剤の漏れを規制するために前記枠体に取り付けられ、前記回転体の長手方向に亘って前記枠体と前記回転体の周面との間に位置し、前記回転体の長手方向の端部において前記端部シール部材と前記回転体の周面との間に進入しているシート部材と、
を有する現像剤容器において、
前記枠体は前記回転体の長手方向の端部において前記枠体を貫通している貫通孔を有し
、前記貫通孔の一端開口は前記シート部材を介して前記回転体に対向しており、前記貫通孔の他端開口は前記回転体に対向しておらず、
前記枠体と前記端部シール部材と前記シート部材との間からの現像剤の漏れを規制するために、前記他端開口から前記一端開口に向かって前記貫通孔に注入されることにより、前記枠体と前記端部シール部材と前記シート部材との間に充填された充填剤を有することを特徴とする。
また、カートリッジにおいて、上記記載の現像剤容器を有し、画像形成装置本体に着脱可能に設けられたことを特徴とする。
【手続補正５】
【補正対象書類名】明細書
【補正対象項目名】００１３
【補正方法】変更
【補正の内容】
【００１３】
また、画像形成装置に用いられる現像剤容器の製造方法において、
ア）現像剤を担持して回転する回転体が取り付けられるための枠体であって、その一端開口が前記枠体に前記回転体が取り付けられた状態において前記回転体に対向しており、その他端開口が前記枠体に前記回転体が取り付けられた状態において前記回転体に対向しない貫通孔を有し、現像剤を収納するための枠体を準備する枠体準備工程と、
イ）端部シール部材を前記枠体に取り付ける端部シール部材取り付け工程と、
ウ）シート部材に前記一端開口と前記端部シール部材の一部を覆わせて、前記シート部材を前記枠体に取り付けるシート部材取り付け工程と、
エ）前記端部シール部材取り付け工程及び前記シート部材取り付け工程の後に、前記他端開口から前記一端開口に向かって前記貫通孔に充填剤を注入して、前記充填剤を前記端部シール部材と前記シート部材と前記枠体との間に充填する充填工程と、
を有することを特徴とする。
【手続補正６】
【補正対象書類名】明細書
【補正対象項目名】００１６
【補正方法】変更
【補正の内容】
【００１６】
本発明は、現像剤容器、カートリッジ及び現像剤容器の製造方法に関するものである。